(57)【要約】【課題】シャッター関連の複数の確認ランプを一箇所にまとめて配置することで，シャッターの開閉指令の内容と実際のシャッター開閉状態とを容易に確認できるようにする。【解決手段】Ｘ線管２２のＸ線取り出し窓はシャッター２４で開閉される。シャッター開閉スイッチ１８による開閉指令は開閉駆動機構３４に送られ，その開閉指令の内容は第１のシャッター指令ランプ２０と第２のシャッター指令ランプ３０で表示される。シャッター２４の開閉状態は開閉検出装置３６で検出され，その検出内容は第１のシャッター検出ランプ２６と第２のシャッター検出ランプ３２で表示される。第２のシャッター指令ランプ３０と第２のシャッター検出ランプ３２は作業テーブル１２上のシャッター表示ユニット２８にまとめて配置されていて，オペレータは両者を容易にかつ同時に確認できる。【選択図】図１
2006031981.tif 000002
【特許請求の範囲】
【請求項１】
次の構成を備えるＸ線発生装置。
（ア）Ｘ線管。
（イ）前記Ｘ線管のＸ線取り出し窓を開閉するシャッター。
（ウ）前記シャッターを開閉駆動する開閉駆動機構。
（エ）前記開閉駆動機構に開閉指令を出力する開閉指令装置。
（オ）前記開閉指令の内容を表示する指令表示灯。
（カ）前記シャッターの開閉状態を検出する開閉検出装置。
（キ）前記開閉検出装置の検出内容を表示する検出表示灯。
（ク）前記指令表示灯と前記検出表示灯が互いに近接して配置されたシャッター表示ユニット。
【請求項２】
請求項１に記載のＸ線発生装置において，前記指令表示灯には指令表示灯であることを意味する文字が記されており，前記検出表示灯には検出表示灯であることを意味する文字が記されていることを特徴とするＸ線発生装置。
【請求項３】
請求項１または２に記載のＸ線発生装置において，前記シャッター表示ユニットは直立する円筒形状であり，前記指令表示灯と前記検出表示灯は前記シャッター表示ユニット内で上下に並んでいることを特徴とするＸ線発生装置。
【請求項４】
請求項１から３までのいずれか１項に記載のＸ線発生装置を備えるＸ線分析装置。
【請求項５】
次の構成を備えるＸ線分析装置。
（ア）作業テーブル。
（イ）前記作業テーブルの近傍に配置された操作パネル。
（ウ）前記作業テーブルの上に配置された分析ユニット。
（エ）前記分析ユニットに照射するためのＸ線を発生するＸ線管。
（オ）前記Ｘ線管のＸ線取り出し窓を開閉するシャッター。
（カ）前記シャッターを開閉駆動する開閉駆動機構。
（キ）前記開閉駆動機構に開閉指令を出力する開閉指令装置。
（ク）前記シャッターの開閉状態を検出する開閉検出装置。
（ケ）前記作業テーブルの上に配置されたシャッター表示ユニット。
（コ）前記操作パネルに配置されていて，前記開閉指令の内容を表示する第１の指令表示灯。
（サ）前記シャッターの近傍に配置されていて，前記開閉検出装置の検出内容を表示する第１の検出表示灯。
（シ）前記シャッター表示ユニットに配置されていて，前記開閉指令の内容を表示する第２の指令表示灯。
（ス）前記シャッター表示ユニットに配置されていて，前記開閉検出装置の検出内容を表示する第２の検出表示灯。
【請求項６】
請求項５に記載のＸ線分析装置において，前記第２の指令表示灯には指令表示灯であることを意味する文字が記されており，前記第２の検出表示灯には検出表示灯であることを意味する文字が記されていることを特徴とするＸ線分析装置。
【発明の詳細な説明】
【技術分野】
【０００１】
本発明は、Ｘ線シャッターの開閉状態を表示できるＸ線発生装置，及び，そのようなＸ線発生装置を備えるＸ線分析装置に関するものである。
【背景技術】
【０００２】
Ｘ線管のＸ線取り出し窓にはシャッターが付属しており，このシャッターは開閉駆動機構により開閉する。シャッター開閉スイッチはＸ線発生装置の操作パネルに設けられていて，このシャッター開閉スイッチを操作することにより，開閉駆動機構が動作して，シャッターが開閉する。シャッター開閉スイッチが開状態にあるときは，操作パネル上のシャッター指令ランプが点灯する。これにより，シャッターを開く指令信号が出ていることがオペレータに分かるようになっている。また，シャッターの開閉状態は開閉検出装置によって検出され，シャッターが開いているときには，シャッターの近傍に配置されたシャッター検出ランプが点灯する。これにより，シャッターが実際に開いていることがオペレータに分かるようになっている。
【０００３】
Ｘ線発生装置のシャッター位置検出装置及びシャッター位置表示器は次の特許文献１に開示されている。
【特許文献１】特開平１１−２１３９２８号公報
【発明の開示】
【発明が解決しようとする課題】
【０００４】
オペレータは，操作パネル上のシャッター指令ランプが点灯しているのを見て，シャッターを開く指令が出ていることを確認でき，さらに，シャッター近傍のシャッター検出ランプが点灯しているのを見て，シャッターが実際に開いていることを確認できる。しかしながら，従来装置においては，これらの二つのランプは互いに離れているので，両方のランプが点灯していることを確認するのに手間がかかる。
【０００５】
本発明は，上述の問題点を解決するためになされたものであり，その目的は，シャッター指令ランプとシャッター検出ランプの両方の点灯状態をきわめて容易にかつ明瞭に確認できるようなＸ線発生装置を提供することにある。また，本発明の別の目的は，そのようなＸ線発生装置を備えたＸ線分析装置を提供することにある。
【課題を解決するための手段】
【０００６】
本発明はシャッター開閉指令ランプとシャッター検出ランプを一箇所にまとめた点に特徴があり，それらのランプを互いに近接して配置している点に特徴がある。本発明のＸ線発生装置は，次の（ア）乃至（ク）の構成を備えている。（ア）Ｘ線管。（イ）前記Ｘ線管のＸ線取り出し窓を開閉するシャッター。（ウ）前記シャッターを開閉駆動する開閉駆動機構。（エ）前記開閉駆動機構に開閉指令を出力する開閉指令装置。（オ）前記開閉指令の内容を表示する指令表示灯。（カ）前記シャッターの開閉状態を検出する開閉検出装置。（キ）前記開閉検出装置の検出内容を表示する検出表示灯。（ク）前記指令表示灯と前記検出表示灯が互いに近接して配置されたシャッター表示ユニット。
【０００７】
オペレータは，シャッター表示ユニットをちらっと見るだけで，指令表示灯と検出表示灯を同時に見ることができ，例えば両方が同時に点灯していることを容易に確認できる。
【０００８】
指令表示灯には指令表示灯であることを意味する文字を記すことが好ましく，検出表示灯には検出表示灯であることを意味する文字を記すことが好ましい。シャッター表示ユニットにまとめて配置された指令表示灯と検出表示灯は，シャッター開閉指令を出す操作パネルや，シャッターの開閉状態を検出する検出装置からは離れてしまうことが想定されるので，各表示灯の意味する内容がオペレータに理解できないおそれがある。そこで，シャッター表示灯に配置された指令表示灯と検出表示灯には，その意味を表す文字を記すことが好ましい。指令表示灯を意味する文字としては，シャッターを開きなさいという指令信号が出ている，という意味を表すものがよく，例えば，「シャッター開放指令」というような具体的な表現や，単に「開放指令」あるいは「指令」，さらには，英語の「ＣＯＭＭＡＮＤ」や「ＯＰＥＲＡＴＥ」などの表現を用いることができる。一方，検出表示灯を意味する文字としては，指令に応答してシャッターが開いた，という意味を表すものがよく，例えば，「シャッター開放状態」というような具体的な表現や，「指令応答」あるいは「開放」，さらには，英語の「ＡＮＳＷＥＲ」や「ＯＰＥＮ」などの表現を用いることができる。
【０００９】
シャッター表示ユニットの形状，及び，その中での指令表示灯と検出表示灯の位置関係については，いろいろな態様が可能である。一例として，シャッター表示ユニットの形状は，直立する円筒形状にすることができ，このシャッター表示ユニット内で指令表示灯と検出表示灯を上下に並べて配置することができる。これにより，設置スペースをあまり広くすることなく，大きな表示灯を見やすく設置することができる。
【００１０】
本発明で採用しているシャッター表示ユニットは，Ｘ線分析装置に従来から備わっている指令表示灯（Ｘ線分析装置の操作パネルに設置されているもの）及び検出表示灯（シャッターの近傍に設置されているもの）と併用することができる。したがって，本発明は上述の特徴を備えるＸ線分析装置を備えるＸ線分析装置としても表現でき，このＸ線分析装置は次の（ア）乃至（ス）の構成を備えている。（ア）作業テーブル。（イ）前記作業テーブルの近傍に配置された操作パネル。（ウ）前記作業テーブルの上に配置された分析ユニット。（エ）前記分析ユニットに照射するためのＸ線を発生するＸ線管。（オ）前記Ｘ線管のＸ線取り出し窓を開閉するシャッター。（カ）前記シャッターを開閉駆動する開閉駆動機構。（キ）前記開閉駆動機構に開閉指令を出力する開閉指令装置。（ク）前記シャッターの開閉状態を検出する開閉検出装置。（ケ）前記作業テーブルの上に配置されたシャッター表示ユニット。（コ）前記操作パネルに配置されていて，前記開閉指令の内容を表示する第１の指令表示灯。（サ）前記シャッターの近傍に配置されていて，前記開閉検出装置の検出内容を表示する第１の検出表示灯。（シ）前記シャッター表示ユニットに配置されていて，前記開閉指令の内容を表示する第２の指令表示灯。（ス）前記シャッター表示ユニットに配置されていて，前記開閉検出装置の検出内容を表示する第２の検出表示灯。
【００１１】
この場合，第２の指令表示灯と第２の検出表示灯は操作パネルやシャッターからは離れていることが想定されるので，第２の指令表示灯には指令表示灯であることを意味する文字を記すことが好ましく，第２の検出表示灯には検出表示灯であることを意味する文字を記すことが好ましい。
【発明の効果】
【００１２】
本発明は、ひとつのシャッター表示ユニットに指令表示灯と検出表示灯を互いに近接して配置したので，シャッター開閉の指令内容と検出内容を，きわめて容易に同時に確認できるという利点がある。これにより，シャッターの状態を容易に確認できて，シャッター開閉に関して何らかの異常があれば，それをすぐに発見できる。
【発明を実施するための最良の形態】
【００１３】
以下，図面を参照して本発明の実施例を詳しく説明する。図１は本発明のＸ線発生装置の一実施例を組み込んだＸ線分析装置の斜視図である。このＸ線分析装置は架台１０を備えていて，この架台１０にＸ線発生装置を組み込んでいる。そして，架台１０の上面が作業テーブル１２になっていて，その上にＸ線分析用の分析ユニット１４が載っている。Ｘ線分析装置としては，例えばＸ線回折装置を想定することができる。その場合，分析ユニット１４には試料ホルダーとＸ線検出装置とが含まれていて，これらは一般にゴニオメータに搭載されている。
【００１４】
架台１０の前面には操作パネル１６がある。図２は操作パネル１６とＸ線管２２の近傍を拡大した斜視図である。操作パネル１６には各種のスイッチやランプ類が設置されている。そのうち，シャッター開閉スイッチ１８と第１のシャッター指令ランプ２０だけを示している。シャッター開閉スイッチ１８が本発明における開閉指令装置に該当する。
【００１５】
Ｘ線管２２は作業テーブル１２から上方に突き出していて，その側面にはＸ線取り出し窓があり，このＸ線取り出し窓を開閉するためにシャッター２４が取り付けられている。シャッター２４のケーシングの前面側には第１のシャッター検出ランプ２６が設けられている。シャッター２４が開くと，Ｘ線管２２から放出されたＸ線は，シャッター２４を通過して，分析ユニット１４（図１を参照）に向かう。
【００１６】
図１に戻って，作業テーブル１２の上にはシャッター表示ユニット２８が設置されている。このシャッター表示ユニット２８は全体が細長い円筒形状をしていて，作業テーブル１２上で直立している。この実施例では，シャッター表示ユニット２８は作業テーブル１２の右端の前方寄りに設置されている。図３はシャッター表示ユニット２８の拡大斜視図である。シャッター表示ユニット２８の下半分は，その全体が第２のシャッター指令ランプ３０になっている。上半分は，その全体が第２のシャッター検出ランプ３２になっている。下段の第２のシャッター指令ランプ３０の表面には「ＯＰＥＲＡＴＥ」の文字が印刷されていて，この「ＯＰＥＲＡＴＥ」の文字はシャッターの開放指令を示すランプであることを意味している。上段の第２のシャッター検出ランプ３２の表面には「ＯＰＥＮ」の文字が印刷されていて，この「ＯＰＥＮ」の文字は開放指令に応答してシャッターが実際に開いたこと示すランプであることを意味している。
【００１７】
図４は図１に示したＸ線発生装置の信号系統を示す信号系統図である。ただし，本発明に関連がある信号系統部分だけを示している。シャッター２４には，シャッター２４を開閉駆動するための開閉駆動機構３４と，シャッター２４の開閉状態を検出するための開閉検出装置３６が付属している。シャッター２４の近傍には第１のシャッター検出ランプ２６が設けられている。操作パネル１６にはシャッター開閉スイッチ１８と第１のシャッター指令ランプ２０が設けられている。
【００１８】
シャッター開閉スイッチ１８から出力される開閉指令信号３８は開閉駆動機構３４に送られる。また，シャッター開閉スイッチ１８の指令内容を表す信号４０は指令表示回路４２の第１の点灯スイッチ４４に送られる。指令内容が「開指令」（オープン指令）のときは，第１の点灯スイッチ４４が閉じる。このスイッチ４４が閉じると，操作パネル１６にある第１のシャッター指令ランプ２０が点灯し，かつ，シャッター表示ユニット２８の第２のシャッター指令ランプ３０も点灯する。一方，指令内容が「閉指令」（クローズ指令）のときは,第１の点灯スイッチ４４が開いて，二つの指令ランプ２０，３０が消灯する。
【００１９】
開閉検出装置３６の検出信号４６は検出表示回路４８に設けられた第２の点灯スイッチ５０に送られる。検出内容が「開状態」（オープン状態）のときは，第２の点灯スイッチ５０が閉じる。このスイッチ５０が閉じると，シャッター２４の近傍にある第１のシャッター検出ランプ２６が点灯し，かつ，シャッター表示ユニット２８の第２のシャッター検出ランプ３２も点灯する。一方，検出内容が「閉状態」（クローズ状態）のときは,第２の点灯スイッチ５０が開いて，二つの検出ランプ２６，３２が消灯する。
【００２０】
オペレータは，作業テーブル上に直立しているシャッター表示ユニット２８をちらっと見るだけで，二つのランプ３０，３２が同時に点灯している状態か，あるいは，同時に消灯している状態を容易に確認できる。もし，どちらか一方だけが点灯している状態を見つけたときは，指令内容と検出内容が相違していることになるので，何らかの異常があることがすぐ分かる。また，指令内容と検出内容が一致していない場合には，Ｘ線管の高圧電源を自動的にオフにしたり，警告を出したり（例えば，警報ブザーを鳴らしたり）してもよい。
【００２１】
次に，図５〜図７を参照して，シャッター表示ユニットの形状とその中での二つのランプの配置状態について，各種の変更例を説明する。図５（Ａ）は，図３に示したシャッター表示ユニットと同じタイプのものである。外観が直立した円筒形状であり，下段が第２のシャッター指令ランプ３０に，上段が第２のシャッター検出ランプ３２になっていて，これらが上下に並んでいる。第２のシャッター指令ランプ３０の表面には，シャッター指令ランプであることを意味する文字３１（以下，指令ランプ文字という）が印刷されている。第２のシャッター検出ランプ３２の表面には，シャッター検出ランプであることを意味する文字３３（以下，検出ランプ文字という）が印刷されている。
【００２２】
図５（Ｂ）のシャッター表示ユニットは，図５（Ａ）のものに類似しているが，第２のシャッター指令ランプ３０と第２のシャッター検出ランプ３２が上下に少しだけ離れている。このように，シャッター表示ユニットにおいて，二つのランプ３０，３２が必ずしも密接に隣り合わせになっている必要はなく，両者が近接して配置されていれば足りる。
【００２３】
図５（Ｃ）のシャッター表示ユニットは，直立した四角柱の形状をしている。下段の第２のシャッター指令ランプ３０において，隣り合う二つの側面のどちらにも，指令ランプ文字３１を印刷してある。同様に，上段の第２のシャッター検出ランプ３２においても，隣り合う二つの側面のどちらにも，検出ランプ文字３３３を印刷してある。
【００２４】
上述の図５（Ａ）〜図５（Ｃ）の３種類のシャッター表示ユニットは，いずれも，直立した細長い形状をしており，作業テーブル上の占有面積が少なくて済む。
【００２５】
図６（Ａ）のシャッター表示ユニットは，水平に延びる細長い円筒形状をしている。正面から見て，左側が第２のシャッター指令ランプ３０であり，右側が第２のシャッター検出ランプ３２である。
【００２６】
図６（Ｂ）のシャッター表示ユニットは，水平に延びる細長い四角柱の形状をしている。正面から見て，左側が第２のシャッター指令ランプ３０であり，右側が第２のシャッター検出ランプ３２である。四角柱の正面と上面の両方に，指令ランプ文字３１と検出ランプ文字３３を印刷してある。
【００２７】
図６（Ｃ）のシャッター表示ユニットも，水平に延びる細長い四角柱の形状をしている。この例では，正面から見て，左上の頂点から右下の頂点を結ぶ線分によってシャッター表示ユニットが二つのランプに仕切られていて，左下が三角形の第２のシャッター指令ランプ３０であり，右上が三角形の第２のシャッター検出ランプ３２である。
【００２８】
上述の図６（Ａ）〜図６（Ｃ）のシャッター表示ユニットは，いずれも，水平に細長い形状をしているので，高さに制約があるような場所では，このような形態が有効である。
【００２９】
図７（Ａ）のシャッター表示ユニットは，中心線が水平に延びる細長い円錐台の形状をしている。正面から見て，左側の細い部分が第２のシャッター指令ランプ３０であり，右側の太い部分が第２のシャッター検出ランプ３２である。第２のシャッター指令ランプ３０よりも第２のシャッター検出ランプ３２の方が大きくなっている。この形態では，文字３１，３３によるランプ種別の識別のほかに，大きさの違いによるランプ種別の識別もできる。すなわち，この場合，大きいランプの方がシャッター検出ランプである，と覚えていれば，文字３１，３３を確認するまでもなく，ランプの区別が容易にできる。
【００３０】
図７（Ｂ）のシャッター表示ユニットは，正面から見て四角形になっていて，その中央下側の部分が第２のシャッター指令ランプ３０であり，その左右及び上方に広がる部分が第２のシャッター検出ランプ３２である。この例も，第２のシャッター指令ランプ３０よりも第２のシャッター検出ランプ３２の方が大きくなっている。
【００３１】
次に，いくつかの動作条件について，シャッター指令ランプとシャッター検出ランプの点灯・消灯状態がどのような組み合わせになるかを説明する。図８は，二種類のランプの点灯・消灯状態の組み合わせを示す一覧表である。点灯は○印で示し，消灯は×印で示している。
【００３２】
まず，正常なシャッター開放動作を説明する。この場合，開指令前は，指令ランプが消灯状態，検出ランプも消灯状態である。開指令があると，その瞬間に指令ランプだけが点灯する。その０．１秒後には，検出ランプも点灯する。したがって，開指令から０．１秒後には二つのランプが点灯状態になり，オペレータはシャッター表示ユニットの二つのランプが点灯していることを目視で確認できる。これにより，正常にシャッターが開いたと判断できる。
【００３３】
次に，正常なシャッター閉鎖動作を説明する。この場合，閉指令前は，指令ランプが点灯状態，検出ランプも点灯状態である。閉指令があると，その瞬間に指令ランプだけが消灯する。その０．０５秒後には，検出ランプも消灯する。したがって，閉指令から０．０５秒後には二つのランプが消灯状態になり，オペレータはシャッター表示ユニットの二つのランプが消灯していることを目視で確認できる。これにより，正常にシャッターが開いたと判断できる。
【００３４】
次に，異常なシャッター開放動作例を説明する。この場合，開指令前と開指令時のランプ状態は，正常なときと同じである。違うのは，開指令が出たあとの状態であり，検出ランプが，いつまでも消灯状態のままになっている。シャッターの開閉機構に何らかの機械的なトラブルがあると，このような異常が生じることがある。オペレータは，検出ランプが消灯したままの状態であるのを見て，シャッターが閉じていることを理解する。一方で，指令ランプが点灯しているのを見て，シャッター開指令が出ていることも理解する。したがって，今はシャッターが閉じているが，開指令が出ているので，何らかのきっかけでシャッターが開くかも知れず，危険である，と判断できる。なお，現実の電気回路では，シャッターの開指令があってから約１〜２秒の間に実際にシャッターが開かなければ，シャッター開放のための指令電圧が下がってしまうので，その時間が経過したのちに不意にシャッターが開くようなことはない。その理由は，コンデンサーにチャージした電圧だけをシャッターの開放運動に利用しているので，１〜２秒後にはチャージした電圧が低下していくためである。
【００３５】
次に，異常なシャッター閉鎖動作例を説明する。この場合，閉指令前と閉指令時のランプ状態は，正常なときと同じである。違うのは，閉指令が出たあとの状態であり，検出ランプが，いつまでも点灯状態のままになっている。オペレータは，検出ランプが点灯状態にあることを目視で確認できて，閉指令が出ていてもシャッターがまだ開いたままであると判断できる。
【００３６】
以上のようなオペレータの判断は，シャッター表示ユニットに配置された第２のシャッター指令ランプと第２のシャッター検出ランプを同時に見ることで，容易にできる。
【００３７】
上述の実施例では，開閉指令装置として，操作パネル上のシャッター開閉スイッチを例に説明したが，シャッター開閉指令を所定のシーケンスに従って実行するような自動分析装置においては，シャッター開閉指令を自動的に生成する制御装置の機能が，本発明における開閉指令装置に該当する。
【００３８】
操作パネル上の第１のシャッター指令ランプ２０は，シャッター開閉スイッチ１８の内部に組み込んでもよい。すなわち，点灯式のシャッター開閉スイッチとしてもよい。
【００３９】
上述の実施例の説明では，Ｘ線分析装置としてＸ線回折装置を例示したが，本発明のＸ線発生装置は，どのようなＸ線分析装置と組み合わせることもできる。
【図面の簡単な説明】
【００４０】
【図１】本発明のＸ線発生装置の一実施例を組み込んだＸ線分析装置の斜視図である。
【図２】操作パネルとＸ線管の近傍を拡大した斜視図である。
【図３】シャッター表示ユニットの拡大斜視図である。
【図４】図１に示すＸ線発生装置の信号系統を示す信号系統図である。
【図５】シャッター表示ユニットの変更例を示す斜視図である。
【図６】シャッター表示ユニットの別の変更例を示す斜視図である。
【図７】シャッター表示ユニットのさらに別の変更例を示す斜視図である。
【図８】二種類のランプの点灯・消灯状態の組み合わせを示す一覧表である。
【符号の説明】
【００４１】
１０  架台
１２  作業テーブル
１４  分析ユニット
１６  操作パネル
１８  シャッター開閉スイッチ
２０  第１のシャッター指令ランプ
２２  Ｘ線管
２４  シャッター
２６  第１のシャッター検出ランプ
２８  シャッター表示ユニット
３０  第２のシャッター指令ランプ
３２  第２のシャッター検出ランプ
【図１】
2006031981.tif 000003
【図２】
2006031981.tif 000004
【図３】
2006031981.tif 000005
【図４】
2006031981.tif 000006
【図５】
2006031981.tif 000007
【図６】
2006031981.tif 000008
【図７】
2006031981.tif 000009
【図８】
2006031981.tif 000010